(57)【要約】【課題】サンダルのデザイン性を保ちながら、足の裏を適度に刺激すると共に、通気性に優れたサンダル構造を提供する。【解決手段】インソールＳ１表面に、ポリプロピレン、ナイロン等の構成樹脂材からなる人工芝材２を接着する。この人工芝材２は、裏面に弾性材１をコーティングした人工芝材とする。弾性材１はスチレン・ブタジエンゴム (styrene-butadiene rubber)等の合成ゴムを使用する。人工芝材２は、ショートパイル人工芝を使用する。【選択図】図１
0003167423.tif 000002
【実用新案登録請求の範囲】
【請求項１】
サンダルのインソール構造において、人工芝材をインソール表面に接着したことを特徴とするサンダルのインソール構造。
【請求項２】
前記人工芝材は、裏面に弾性材をコーティングした人工芝材とする請求項１記載のサンダルのインソール構造。
【請求項３】
前記人工芝材は、ショートパイル人工芝が使用された請求項１記載のサンダルのインソール構造。
【考案の詳細な説明】
【技術分野】
【０００１】
本考案はサンダルのインソール構造に係り、足裏に接するインソール部分に人工芝を貼り付けたサンダルのインソール構造に関するものである。
【背景技術】
【０００２】
サンダルは、足を覆い包まず、底や台をひもやバンドで足にとめる履物として知られている。このサンダルの種類の中で、インソール部分に凹凸のついたサンダルが健康サンダルと称して販売されている。この健康サンダルは、主に軟質の合成樹脂もしくは合成ゴムで一体成型されたもので、凹凸の形状や位置はそれぞれ異なっており、永久磁石を埋め込んだものや、足裏のツボを刺激するように構成されたものなどもある。
【０００３】
一方、特許文献１に、弾性の糸を交錯するように巻き付けて足の裏接触体を設け、この足の裏接触体をインソール部分に直接接着した構成が記載されている。この構成によると、通気性、透水性、快適性を提供できるというものである。
【先行技術文献】
【特許文献】
【０００４】
【特許文献１】実用新案登録第３０５５８６２号公報
【考案の概要】
【考案が解決しようとする課題】
【０００５】
従来の健康サンダルは、凹凸の形状や位置はそれぞれ異なっているものの、足の裏を積極的に刺激することを目的としているため、この凹凸の形状からサンダル自体の印象もゴツゴツした印象になることは否めない。
【０００６】
一方、特許文献１に、弾性の糸を交錯するように巻き付けて足の裏接触体を設け、この足の裏接触体をインソール部分に直接接着した構成では、足の裏とインソールとの間に設置した足の裏接触体の耐久性に課題が生じる。すなわち、足の裏接触体は、弾性の糸を交錯するように巻き付けたものであるから、この足の裏接触体に体重が加わると、次第に潰れて変形し、最後はインソール上で平らになってしまうおそれがある。
【０００７】
そこで本考案は、上述の課題を解消すべく案出されたもので、サンダルのデザイン性を保ちながら、足の裏を適度に刺激すると共に、通気性に優れたサンダル構造の提供を目的とするものである。
【課題を解決するための手段】
【０００８】
上述の目的を達成すべく本考案の第１の手段は、サンダルＳのインソール構造において、人工芝材２をインソールＳ１表面に接着したことにある。
【０００９】
第２の手段において、前記人工芝材２は、裏面に弾性材１をコーティングした人工芝材とする。
【００１０】
第３の手段において、前記弾性材１は合成ゴムを使用し、前記人工芝材２は、ショートパイル人工芝が使用されたことを課題解消のための手段とする。
【考案の効果】
【００１１】
本考案の請求項１に記載のように、サンダルＳのインソール構造において、人工芝材２をインソールＳ１表面に接着したことにより、インソールＳ１の表面を鮮やかな緑の人工芝材２が被覆しているので、従来の健康サンダルのようにゴツゴツした印象が解消され、人工芝材２による適度な刺激を楽しむことができる。
【００１２】
また、請求項２に記載のごとく、裏面に弾性材１をコーティングした人工芝材２を使用することにより、弾性材１が履き心地を担保しながら、人工芝材２が足の裏を心地良く刺激することができる。
【００１３】
請求項３のごとく、弾性材１として合成ゴムを使用したことで、体重は、人工芝材２と弾性材１を介してインソールＳ１に加わることになる。この結果、サンダルＳを履いていても、あたかも芝の上を踏んでいる如き感触が得られるものである。
【００１４】
また、請求項３のように、人工芝材２としてショートパイル人工芝を使用することで、歩行に適した人工芝材２となり、人工芝の中でも特にサンダルＳに適合する。
【図面の簡単な説明】
【００１５】
【図１】本考案のサンダルの一実施例を示す分解斜視図である。
【図２】本考案のサンダルの一実施例を示す斜視図である。
【図３】本考案の人工芝材の一実施例を示す要部断面図ある。
【図４】本考案の人工芝材の他の実施例を示す要部断面図ある。
【図５】本考案の人工芝材の他の実施例を示す要部断面図ある。
【考案を実施するための形態】
【００１６】
以下、本考案を図示例に基づいて説明する。本発明は、サンダルＳのインソールＳ１を改良したものである。このサンダルＳとは、足を覆い包まず、底や台をひもやバンドで足にとめる履物を総称するものとする。また、インソールＳ１は、このサンダルＳに足の裏を載せる部分を称している。
【００１７】
このインソールＳ１の表面に人工芝材２を接着する。人工芝材２は、合成樹脂材にて芝生の葉を模したクッション材である。人工芝には、ショートパイル人工芝と、ロングパイル人工芝と、砂入り人工芝とがある。
【００１８】
ショートパイル人工芝とは、短めのパイルを使い、基本的には充填剤を使用しないタイプである。この種類の中には、特性の違う長短２種類のパイルをつかったものもある。また、ロングパイル人工芝は、パイルを従来のものより長くしたもので、このパイルの間に表面上には見えない程度に充填剤を詰めて使用するタイプである。更に、砂入り人工芝とは、ショートパイル並みの長さのパイルに珪砂を充填するタイプを言う。
【００１９】
これら人工芝の使用方法は、基本的にコンクリートやアスファルトの上に敷かれる。屋外に使用するために、透水性を高めた基布やアンダーパットが使用されたものは、特に透水性人工芝と称される。
【００２０】
本考案で使用する人工芝材２は、ショートパイル人工芝を使用する。この材質は例えばポリプロピレン、ナイロン等が使用されている。尤も、他の合成樹脂材を使用することも可能である。
【００２１】
更に、この人工芝材２には、裏面に合成ゴムからなる弾性材１をコーティングしたものを使用する。この合成ゴムは、例えば、スチレン・ブタジエンゴム (styrene-butadiene rubber)（以下、ＳＢＲと称する）を使用すると、弾性に優れ、しかも加工しやすいといった利点がある。
【実施例】
【００２２】
図１乃至図３に示す実施例は、鼻緒Ｓ２を使用したタイプのサンダルＳを示している（図１参照）。図示例では、インソールＳ１に窪みを設け、この窪みに人工芝材２を接着しているが（図２参照）、図示例に限定されるものではない。また、人工芝材２は、天然芝のごとく葉先を開いた状態で弾性材１に植設した長さ6mmのナイロンを使用している（図３参照）。このほか、人工芝材２の先端をループ状につなげた人工芝材２や（図４参照）、細い線状の人工芝材２を使用することも可能である（図５参照）。弾性材１はＳＢＲを使用し、弾性材１とインソールＳ１との接着剤は合成ゴム系の接着剤を用いた。
【産業上の利用可能性】
【００２３】
本考案において、弾性材１及び人工芝材２は、サンダルＳのインソールＳ１に接着しているが、サンダルＳ以外の履物に利用することも可能である。また、本考案は、図示例に限定されるものではなく、弾性材１の材質や人工芝材２の材質及び長さや形状等の変更は、本考案の要旨を変更しない範囲で任意に変更することができるものである。
【符号の説明】
【００２４】
Ｓ  サンダル
Ｓ１  インソール
Ｓ２  鼻緒
１  弾性材
２  人工芝材
【図１】
0003167423.tif 000003
【図２】
0003167423.tif 000004
【図３】
0003167423.tif 000005
【図４】
0003167423.tif 000006
【図５】
0003167423.tif 000007